(57)【要約】      （修正有）【課題】植栽容器と支持体とによって植栽用具を構成し、１つの支持体に１つ又は複数の植栽容器を装着することを可能にした植栽用具を提供する。【解決手段】植栽容器１０と支持体５０とでなる。植栽容器１０が容器本体２０と突出部２４とを一体に有する。支持体５０を複数の開口部５１を有するパネル状の構体によって形成する。突出部２４に、支持体５０の開口部５１の下部口縁によって支えられる座部と、支持体５０の開口部５１の上部口縁に嵌合可能でかつその上部口縁に前後方向で係合可能な溝部２５と、支持体５０の開口部５１の下部又は側部の口縁に係合して座部が開口部５１の下部口縁から外れ落ちることを阻止する係合部２７とを設ける。【選択図】図１
0003173902.tif 000002
【実用新案登録請求の範囲】
【請求項１】
植栽を保持する植栽容器とこの植栽容器が装着される支持体とでなる植栽用具であって、
上記植栽容器が、植栽を収容可能な容器本体とその容器本体の背壁部からその背方へ張り出した突出部とを一体に有し、上記支持体が、上記突出部を挿入可能な複数の開口部を有するパネル状の構体によって形成され、
上記容器本体が上記開口部に挿入不能なサイズを有していると共に、植栽容器の上記突出部に、起立姿勢の支持体の上記開口部の下部口縁によって支えられる座部と、起立姿勢の支持体の上記開口部の上部口縁に嵌合可能でかつその上部口縁に前後方向で係合可能な溝部と、支持体の上記開口部の下部又は側部の口縁に係合して上記座部が上記開口部の下部口縁から外れ落ちることを阻止する係合部と、が備わっていることを特徴とする植栽用具。
【請求項２】
支持体の複数の上記開口部のそれぞれが正面視矩形に形成され、それらの開口部は、互いに直交する複数条の縦通線材と横行線材とによって区画されていると共に、上記開口部の上部口縁及び下部口縁が上記横行線材によって形成され、かつ、上記開口部の側部の口縁が上記縦通線材によって形成されている請求項１に記載した植栽用具。
【請求項３】
上記座部が植栽容器の上記突出部の下面によって形成され、上記係合部が植栽容器の上記突出部の側面から横向きに一体に突出された凸部によって形成されている請求項１又は請求項２に記載した植栽用具。
【請求項４】
上記座部が、植栽容器の上記突出部の下面に形成された凹入部の上面によって形成され、上記係合部が上記凹入部の後面によって形成されている請求項１又は請求項２に記載した植栽用具。
【請求項５】
上記容器本体と、上記溝部、上記座部及び上記係合部を備えた上記突出部とが、合成樹脂で一体成形されている請求項１ないし請求項４のいずれか１項に記載した植栽用具。
【考案の詳細な説明】
【技術分野】
【０００１】
本考案は、植栽用具、特に、植栽を保持する植栽容器とこの植栽容器が装着される支持体とによって構成される植栽用具に関する。
【背景技術】
【０００２】
屋内外での植栽による飾り付けは、ショールームや店舗、一般家屋の室内やベランダ、外壁、歩道脇などにおいて行われている。また、植栽による飾り付けを行う場合、小形の植木鉢に植え付けられた植栽や樹脂製ポットに植えつけられた植栽を壁面の複数箇所に装着することも多々行われている。
【０００３】
上記の用途に用い得る植栽容器の従来例として、植栽を保持する容器本体と、この容器本体を壁面などに装着するためのアタッチメントと、を備えたものが提案されている（たとえば、特許文献１参照）。この特許文献１によって提案されている植栽用具では、壁面などに複数箇所でビス止めした個々のアタッチメントに個別に容器本体を係着するようにした構造が採用されている。
【先行技術文献】
【特許文献】
【０００４】
【特許文献１】特開２０１１−１７２５５６号公報
【考案の概要】
【考案が解決しようとする課題】
【０００５】
しかしながら、特許文献１によって提案されている従来例としての植栽容器は、１つのアタッチメントの複数箇所を壁面などの相手方取付面にビス止めするようになっているために、個々のアタッチメントを相手方取付面に固定する作業が煩わしいという問題があった。特に、相手方取付面がコンクリート面や板金であると、アタッチメントを固定するためのビス止め作業に熟練が必要になるだけでなく、アタッチメントを取り外すと、個々のアタッチメントについての多数のビス止め跡が相手方取付面に残って見苦しくなってしまう。
【０００６】
本考案は、以上の問題や状況に鑑みてなされたものであり、植栽を保持する植栽容器とこの植栽容器が装着される支持体とによって植栽用具を構成すると共に、１つの支持体に１つ又は複数の植栽容器を装着することを可能にした植栽用具を提供することを目的とする。言い換えると、複数の植栽容器を１つの支持体に装着することができるようにするための工夫を講じることによって、仮に支持体を壁面などの相手方取付面にビス止めしたとしても、ビス止め箇所を従来例ほどに多くする必要のない植栽用具を提供することを目的とする。
【０００７】
また、本考案は、支持体に対する植栽容器の装着を片手で容易に、しかも確実に行うことができるようにするための対策が講じられた植栽用具を提供することを目的とする。
さらに、本考案は、支持体に装着された植栽容器が振動や風圧などの影響を受けても、その植栽容器が支持体から容易に脱落することのない植栽用具を提供することを目的とする。
【課題を解決するための手段】
【０００８】
本考案に係る植栽用具は、植栽を保持する植栽容器とこの植栽容器が装着される支持体とでなる。そして、上記植栽容器が、植栽を収容可能な容器本体とその容器本体の背壁部からその背方へ張り出した突出部とを一体に有し、上記支持体が、上記突出部を挿入可能な複数の開口部を有するパネル状の構体によって形成され、上記容器本体が上記開口部に挿入不能なサイズを有していると共に、植栽容器の上記突出部に、起立姿勢の支持体の上記開口部の下部口縁によって支えられる座部と、起立姿勢の支持体の上記開口部の上部口縁に嵌合可能でかつその上部口縁に前後方向で係合可能な溝部と、支持体の上記開口部の下部又は側部の口縁に係合して上記座部が上記開口部の下部口縁から外れ落ちることを阻止する係合部と、が備わっている。
【０００９】
この考案に係る植栽用具において、パネル状の構体によって形成されている支持体の開口部に植栽容器の突出部を挿入することと、その突出部の溝部を上記開口部の上部口縁に嵌合させることと、その突出部の座部を上記開口部の下部口縁に着座させることと、その突出部の係合部を上記開口部の下部又は側部の口縁に係合させること、とを行うと、植栽容器が支持体に装着される。そして、支持体には複数の開口部が形成されていて、それぞれの開口部に個別に植栽容器を装着することが可能であるため、１つの支持体に複数の植栽容器を装着することが可能になる。したがって、支持体を壁面などの相手方取付面にビス止めするものとしても、植栽容器の１個当りのビス止め箇所が冒頭で説明した従来例に比べて大幅に削減される。また、上記した装着作業は、作業者が片手で植栽容器を掴んで容易に確実に行うことができる。その上、植栽容器が支持体に装着されている状態では、支持体の開口部の下部又は側部の口縁が、容器本体と突出部の係合部との間に介在されて挟まれた状態になるので、支持体に装着された植栽容器が、振動や風圧などの影響を受けたとしても、支持体から容易に脱落することはない。この考案において、支持体は、まっすぐな線材を格子状に枠組みすることによって構成したパネル状の構体であっても、板金製又は木製、プラスチック製などの１枚の平板材の複数箇所に開口部を形成したパネル状の構体であってもよい。
【００１０】
本考案では、支持体の複数の上記開口部のそれぞれが正面視矩形に形成され、それらの開口部は、互いに直交する複数条の縦通線材と横行線材とによって区画されていると共に、上記開口部の上部口縁及び下部口縁が上記横行線材によって形成され、かつ、上記開口部の側部の口縁が上記縦通線材によって形成されている、という構成を採用することが可能である。この構成であると、まっすぐな線材を格子状に枠組みするだけでパネル状の構体でなる支持体が得られるので、支持体を安価に製作することが可能になる。
【００１１】
本考案では、上記座部が植栽容器の上記突出部の下面によって形成され、上記係合部が植栽容器の上記突出部の側面から横向きに一体に突出された凸部によって形成されている、という構成を採用することが可能である。また、本考案では、上記座部が、植栽容器の上記突出部の下面に形成された凹入部の上面によって形成され、上記係合部が上記凹入部の後面によって形成されている、という構成を採用することも可能である。
【００１２】
さらに、本考案に係る植栽用具では、上記容器本体と、上記溝部、上記座部及び上記係合部を備えた上記突出部とが、合成樹脂で一体成形されているという構成を採用することが望ましい。この構成を採用すると、植栽用具の構成部品が、合成樹脂の一体成形体でなる容器本体と支持体との２点になる。
【考案の効果】
【００１３】
以上のように、本考案によると、１つの支持体に１つ又は複数の植栽容器を装着することが可能な植栽用具を提供することが可能になる。そのため、支持体を壁面などの相手方取付面にビス止めするとしても、ビス止め箇所を、植栽容器の１個当りのビス止め箇所が冒頭で説明した従来例に比べて大幅に削減される。そのため、支持体を取り外したときに相手方取付面の多数の箇所にビス止め跡が残るといった不都合を生じない。また、支持体に対する植栽容器の装着を片手で容易に、しかも確実に行うことができるものでありながら、支持体に装着された植栽容器が振動や風圧などの影響を受けて支持体から容易に脱落することがないという効果が奏される。
【図面の簡単な説明】
【００１４】
【図１】本考案に係る植栽用具の使用状態を示した概略斜視図である。
【図２】図１に示した植栽容器の一部破断側面図である。
【図３】植栽容器を支持体に装着する作業手順の初期段階を説明的に示した部分側面図である。
【図４】植栽容器を支持体に装着する作業手順の最終段階を説明的に示した部分側面図である。
【図５】支持体に装着された植栽容器の背面図である。
【図６】支持体を例示した正面図である。
【図７】変形例による支持体を例示した正面図である。
【図８】植栽容器の変形例を示した概略斜視図である。
【図９】図８の植栽容器の側面図である。
【図１０】図８の植栽容器１０を支持体５０に装着する作業手順の初期段階を説明的に示した部分側面図である。
【図１１】図８の植栽容器を支持体に装着する作業手順の最終段階を説明的に示した部分側面図である。
【図１２】植栽容器の他の変形例を示した概略斜視図である。
【考案を実施するための形態】
【００１５】
図１は本考案に係る植栽用具の使用状態を示した概略斜視図である。図２は図１に示した植栽容器１０の一部破断側面図、図３及び図４は植栽容器１０を支持体５０に装着する作業手順の一例を説明的に示した部分側面図である。図５は支持体５０に装着された植栽容器１０の背面図である。図６は支持体５０を例示した正面図、図７は変形例による支持体５０を例示した正面図である。
【００１６】
図１又は図２のように、植栽容器１０は、上部に上向き開口を有するポット状の容器本体２０を備えていて、この容器本体２０の上向き開口が植栽の出し入れ口２１を形成している。また、容器本体２０の底部に水抜き口２２が設けられている。この容器本体２０には、土壌付きの植栽を出し入れ口２１を通して出し入れすることができる。また、容器本体２０で保持されている植栽に対して、出し入れ口２１を利用して給水が行われる。容器本体２０の内部の余剰水分は水抜き口２２から排出される。容器本体２０は、平坦な背壁部２３を備え、その背壁部２３からその背方へ張り出した突出部２４をも備えている。図２及び図５によって判るように、図例の突出部２４は略直方体形状に形成されている。そして、容器本体２０と突出部２４とが合成樹脂で一体に成形されている。また、突出部２４は、容器本体２０の背壁部２３の略上半部に位置している。
【００１７】
図２のように、上記突出部２４の上面には、上記背壁部２３との連設部分に相当している根元部分に位置する溝部２５が成形によって形成されている。この溝部２５は、突出部２４の全幅部分を横切る形態で形成されていて、上向きに開口している。これに対し、突出部２４の下面には、図２又は図５のように、上記背壁部２３との連設部分に相当している根元部分に位置する座部２６が形成されている。さらに、突出部２４の左右の両側面下部には、その突出部２４の側面から横向きに一体に突出されて山形に膨出した縦長の凸部でなる係合部２７が備わっていると共に、これらの係合部２７の前側には、容器本体２０の側面に成形によって形成された滑り止め機能を有する掴み部２８が備わっている。
【００１８】
上記植栽容器１０は図１又は図５に示した支持体５０に装着可能である。図１のように、支持体５０はパネル状の構体によって形成されていて、その複数箇所に同一サイズ及び同一形状の開口部５１を備えている。図例の支持体５０は、平行な複数条の縦通線材５２と同じく平行な複数条の横行線材５３とを備えていて、それらの縦通線材５２と横行線材５３とを互いに直交させて交差箇所を結合してなる。そして、支持体５０の複数の開口部５１のそれぞれが正面視矩形に形成されていて、上下又は左右方向で相隣接する２つの開口部５１同士は縦通線材５２や横行線材５３によって区画されている。したがって、個々の開口部５１については、その上部口縁及び下部口縁が共に横行線材５３によって形成され、個々の開口部５１の側部の口縁が縦通線材５２によって形成されている。
【００１９】
図５に示したように、容器本体２０は支持体５０の個々の開口部５１に挿入不能なサイズを有している。さらに具体的には、容器本体２０の平坦な背壁部２３の高さが支持体５０の１つの開口部５１の縦幅よりも長くなっている。これに対し、突出部２４は、１つの開口部５１に対して挿入可能な大きさに形成されている。
【００２０】
次に、図３又は図４を参照して、植栽容器１０をパネル状の構体によって形成されている支持体５０に装着する際に行われる作業手順の一例を説明する。
【００２１】
最初の段階では、支持体５０の１つの開口部５１（図１参照）を選択し、容器本体２０の掴み部２８（図１参照）を片手で掴んだまま、容器本体２０を傾斜させた状態で突出部２４をその開口部５１に挿入する。そして、このような挿入を行うときに、容器本体２０を少し押し上げて突出部２４の上部に備わっている溝部２５を開口部５１の上部口縁を形成している横行線材５３に嵌め込む。次の段階では、図３の矢印Ａのように突出部２４の下部を開口部５１に押し込み、その後に、図４のように、開口部５１の中で突出部２４を押し下げてその突出部２４の座部２６を、開口部５１の下部口縁を形成している横行線材５３に乗せ掛ける。この装着作業を行うときには、突出部２４の左右の両側に設けられている係合部２７が開口部５１の側部の口縁を形成している縦通線材５２を乗り越えた後、その縦通線材５２に背部から係合する。
【００２２】
以上説明したような装着作業は、作業者が片手で植栽容器１０の掴み部２８を掴んだまま一連の動作として容易に正確に行うことが可能である。そして、支持体５０に植栽容器１０を装着した状態では、開口部５１の上部口縁を形成している横行線材５３と突出部２４の溝部２５とが前後方向で係合するという嵌合構造により、突出部２４の上部が開口部５１の前側に抜け出ることが阻止される。また、係合部２７と縦通線材５２との係合構造により、突出部２４の座部２６が開口部５１の前側に抜け出て外れ落ちるという事態の起こることが阻止される。さらに、容器本体２０と横行線材５３との係合構造により、容器本体２０が開口部５１を通り抜けて支持体５０の裏側へ脱落してしまうという事態も起こり得なくなる。したがって、支持体５０に装着された植栽容器１０が、屋外で振動や風圧などを受けたとしても、支持体５０から容易に脱落することはない。
【００２３】
また、支持体５０がこの実施形態の構成を備えていると、支持体５０の複数の開口部５１のうちの１つ又は複数の任意の開口部５１を選択して、それらの選択された開口部５１に個別に植栽容器１０を装着することができる。そのため、１つの支持体５０に１つ又は複数の植栽容器１０を装着することが可能になる。したがって、支持体５０を壁面などの相手方取付面にビス止めするものとしても、ビス止め箇所の数を最少限度に抑えることも可能であり、そのようにしておくと、支持体５０を壁面などから取り外しても、壁面などに多数のビス止め跡が残って目立つという事態が起こりにくい。なお、支持体５０を壁面などの相手方取付面に固定するための手段には、上記のビス止め手段に限らず、接着剤による接合やフックによる係着手段などを適宜選択することが可能である。
【００２４】
以上説明した実施形態で採用した支持体５０の全体構成を図６に例示してある。この支持体５０はパネル状の構体でなり、その縦通線材５２や横行線材５３には金属線材が採用されている。このような支持体５０は、たとえばその４隅を取付金具などを用いて一般家屋の室内やベランダ、ショールームや店舗などの壁面や柱などにビス止めすることが可能である。また、支持体５０を自立させる対策を講じることも可能であり、そのような支持体５０は、屋内外での植栽による飾り付けに用いることが可能である。
【００２５】
支持体５０の構成は上記したものに限定されない。たとえば、図７に示したように平板状のパネルでなる構体の複数箇所に開口部５１を開設したものであってもよい。パネルでなる構体は、板金製、木製、プラスチック製であってもよい。このように平板状のパネルでなる構体の複数箇所に開口部５１を開設した支持体５０に、上記した植栽容器１０を装着したときには、開口部５１の上部の口縁に突出部２４の溝部２５が嵌合し、開口部５１の下部の口縁に突出部２４の座部２６が乗せ掛けられ、開口部５１の側部の口縁に係合部２７が係合する。また、支持体５０の開口部５１の周囲の板面が容器本体２０の背壁部２３に係合する。
【００２６】
図８は植栽容器１０の変形例を示した概略斜視図、図９は図８の植栽容器１０の側面図である。また、図１０及び図１１は、図１０の植栽容器１０を支持体５０に装着する作業手順の一例を説明的に示した部分側面図である。
【００２７】
図８に示した植栽容器１０において、容器本体４０はボックス形に形成されていて、その前部に斜め上向きの開口が備わり、その開口が植栽の出し入れ口４１を形成している。図示していないけれども、容器本体４０の底部に水抜き口が設けられている。この容器本体４０には、土壌付きの植栽を出し入れ口４１を通して出し入れすることができる。また、容器本体４０で保持されている植栽に対して、出し入れ口４１から給水が行われるのに対し、余剰の水分が水抜き口から排出される。容器本体４０は、平坦な背壁部４３を備えていると共に、その背壁部４３からその背方へ張り出した突出部４５をも備えている。図例の植栽容器１０において、突出部４５は、図１１によって判るように、縦方向中央部が横に膨らんだ形状（「メロン形」という）に形成されている。そして、容器本体４０と突出部４５とが合成樹脂で一体に成形されている。また、突出部４５は、容器本体４０の背壁部４３の略中央部に位置している。
【００２８】
図９のように、突出部４５の上面には、上記背壁部４３との連設部分に相当している根元部分に位置する溝部４６が成形によって形成されている。この溝部４６は、突出部４５の上部を横切る形態で形成されていて、上向きに開口している。これに対し、突出部４５の下面にも溝形の凹入部４７が形成されている。そして、その凹入部４７の上面が座部４８として形成され、凹入部４７の後面が係合部４９として形成されている。ここで、容器本体４０、突出部４５、溝部４６、座部４８、係合部４９は、それぞれ、図１、図２又は図５に示した容器本体２０、突出部２４、溝部２５、座部２６、係合部２７に相当している。図８の植栽容器１０を装着する相手方部材としての支持体５０には、図６又は図７に示した支持体５０を用いることが可能である。
【００２９】
次に、図８の植栽容器１０をパネル状の構体によって形成されている支持体５０に装着する際に行われる作業手順の一例を説明する。
最初の段階では、支持体５０の１つの開口部５１を選択し、容器本体４０を手で掴んだまま、容器本体２０を４５度程度の回転角度に傾斜させた状態で図１０のように突出部４５をその開口部５１に挿入する。この後、容器本体４０と共に突出部４５を図１０の矢印Ｂのように回転させることを行って、図１１のように、突出部４５の上部の溝部４６を開口部５１の上部口縁を形成している横行線材５３に嵌め込む。次の段階では、開口部５１の中で突出部２４を押し下げて、突出部４５の下部の凹入部４７を開口部５１の下部口縁を形成している横行線材５３に嵌め込む。このようにすると、座部４８が横行線材５３に乗り掛かる。ここで説明した作業手順は、垂直姿勢の突出部４５を開口部５１に挿入することができない場合に有益である。
【００３０】
以上説明したような装着作業は、作業者が片手で植栽容器１０を掴んだまま一連の動作として容易に正確に行うことが可能である。そして、支持体５０に植栽容器１０を装着した状態では、開口部５１の上部口縁を形成している横行線材５３と突出部４５の溝部４６との嵌合構造により、突出部４５の上部が開口部５１の前側に抜け出ることが阻止される。また、係合部４９と横行線材５３との係合構造により、突出部４５の座部４８が開口部５１の前側に抜け出て外れ落ちるという事態の起こることが阻止される。さらに、容器本体４０の背壁部４３と横行線材５３又は縦通線材５２との係合構造により、容器本体４０が開口部５１を通り抜けて支持体５０の裏側へ脱落してしまうという事態も起こり得なくなる。したがって、支持体５０に装着された植栽容器１０が、屋外で振動や風圧などを受けたとしても、支持体５０から容易に脱落することはない。
【００３１】
図１２は植栽容器１０の他の変形例を示した概略斜視図である。同図の植栽容器１０において、容器本体３０は前面が開放したボックス形に形成されていて、その前部に、両開き式の開閉扉３１が装備されている。また、開閉扉３１には、図示されている閉時にも開口している円形の口部３３が形成されている。この口部３３は、容器本体３０に収容した植栽の植物を外部に導き出すために必要である。植栽の出し入れは、開閉蓋扉３１を開けた状態で行われる。図示していないけれども、容器本体４０の底部に水抜き口が設けられている。容器本体３０は、平坦な背壁部（図に現れていない）を備えていると共に、その背壁部からその背方へ張り出した突出部３２をも備えている。図例の植栽容器１０において、突出部３２の構成は、図８を参照して説明した植栽容器１０の突出部４５の構成と同様である。
【００３２】
この植栽容器１０をパネル状の構体によって形成されている支持体５０に装着する際には、図１０及び図１１を参照して説明した作業手順と同様の手順が行われる。したがって、説明の重複を開蓋するため、その作業手順の説明は省略する。
【００３３】
なお、図１〜図５に示した実施形態に係る植栽容器１０の突出部２４と、図８〜図１１に示した変形例に係る植栽容器１０の突出部３２，４５とを、相互に置き換えることは可能である。
【符号の説明】
【００３４】
１０  植栽容器
２０，３０，４０  容器本体
２３，４３  背壁部
２４，３２，４５  突出部
２５，４６  溝部
２６，４８  座部
２７  ４９  係合部
４７  凹入部
５０  支持体
５１  開口部
５２  縦通線材
５３  横行線材
【図１】
0003173902.tif 000003
【図２】
0003173902.tif 000004
【図３】
0003173902.tif 000005
【図４】
0003173902.tif 000006
【図５】
0003173902.tif 000007
【図６】
0003173902.tif 000008
【図７】
0003173902.tif 000009
【図８】
0003173902.tif 000010
【図９】
0003173902.tif 000011
【図１０】
0003173902.tif 000012
【図１１】
0003173902.tif 000013
【図１２】
0003173902.tif 000014